(57)【要約】【課題】画像形成時等における感光体表面電位の制御の自由度を大きくできるとともに、帯電手段やクリーニング手段を清掃する際にも、感光体の表面への電位付与の複雑なタイミング制御を不要にできるタンデム式フルカラー画像形成装置を提供する。【解決手段】各支持基体２ａ〜２ｄ上に感光層３ａ〜３ｄが形成された複数個の感光体１ａ〜１ｄと、各感光体毎に設けられた帯電手段４ａ〜４ｄ、現像手段５ａ〜５ｄと、各帯電手段にバイアス電圧を供給する帯電バイアス用電源８と、各現像手段にバイアス電圧を供給する現像バイアス用電源９とを備えたタンデム式フルカラー画像形成装置である。各感光体の支持基体と接地部との間に、支持基体にバイアス電圧を供給する支持基体バイアス用電源７ａ〜７ｄがそれぞれ設けられ、前記帯電バイアス用電源８と現像バイアス用電源９の少なくともいずれかが共通電源として構成されている。【選択図】　図１
2004062016.tif 000002
【特許請求の範囲】
【請求項１】
各支持基体上にそれぞれ感光層が形成された複数個の感光体と、前記各感光体毎に設けられ、感光体の感光層を帯電させる複数個の帯電手段と、前記各感光体毎に設けられた複数個の現像手段と、前記複数個の帯電手段にバイアス電圧を供給する帯電バイアス用電源と、前記複数個の現像手段にバイアス電圧を供給する現像バイアス用電源とを備えたタンデム式フルカラー画像形成装置において、
前記各感光体の支持基体と接地部との間に、前記支持基体にバイアス電圧を供給する支持基体バイアス用電源がそれぞれ設けられるとともに、
前記帯電バイアス用電源と前記現像バイアス用電源の少なくともいずれかが、各帯電手段または各現像手段に対して共通のバイアス電圧を供給する共通電源として構成されていることを特徴とするタンデム式フルカラー画像形成装置。
【請求項２】
前記複数個の支持基体バイアス用電源によって各支持基体に供給されるバイアス電圧が可変となされている請求項１に記載のタンデム式フルカラー画像形成装置。
【請求項３】
前記各感光体毎にクリーニング手段を備えるとともに、各クリーニング手段に共通のバイアス電圧を供給するクリーニングバイアス用共通電源を備えている請求項１または２に記載のタンデム式フルカラー画像形成装置。
【請求項４】
前記各感光体毎に設けられたクリーニング手段と、各クリーニング手段にバイアス電圧を供給するクリーニングバイアス用電源と、前記帯電バイアス用電源、前記現像バイアス用電源、前記支持基体バイアス用電源及び前記クリーニングバイアス用電源による各バイアス電圧を設定制御可能な制御手段とを備え、
前記帯電手段またはクリーニング手段はローラ状であり、帯電ローラまたはクリーニングローラの付着部を除去するタイミングにおいて、前記制御手段は、帯電手段の電位が前記支持基体の電位よりも高くなるように、前記支持基体バイアス用電源及び前記帯電バイアス用電源のバイアス電圧を決定するか、またはクリーニング手段の電位が前記支持基体の電位よりも低くなるように、前記支持基体バイアス用電源及び前記クリーニングバイアス用電源のバイアス電圧を決定する請求項１または２に記載のタンデム式フルカラー画像形成装置。
【請求項５】
各支持基体上にそれぞれ感光層が形成された複数個の感光体と、前記各感光体毎に設けられ、感光体の感光層を帯電させる複数個の帯電手段と、前記各感光体毎に設けられた複数個の現像手段と、前記複数個の帯電手段にバイアス電圧を供給する帯電バイアス用電源と、前記複数個の現像手段にバイアス電圧を供給する現像バイアス用電源とを備えたタンデム式フルカラー画像形成装置において、
前記感光体の支持基体と接地部との間に、各支持基体に共通のバイアス電圧を供給する支持基体バイアス用共通電源が設けられていることを特徴とするタンデム式フルカラー画像形成装置。
【発明の詳細な説明】
【０００１】
【発明の属する技術分野】
この発明は、カラー複写機やカラープリンタ等に用いられるタンデム式フルカラー画像形成装置に関する。
【０００２】
【従来の技術】
タンデム式フルカラー画像形成装置は、例えばイエロー、マゼンタ、シアン、ブラックの各色毎に画像を形成するための感光体を備えている。
【０００３】
図１１は、従来のタンデム式フルカラー画像形成装置の感光体及びその周辺を模式的に示す断面図である。図１１において、１０１ａ〜１０１ｄは左からイエロー、マゼンタ、シアン、ブラックの各色に対応する感光体である。各感光体１０１ａ〜１０１ｄは、アルミニウム等からなる導電性支持基体１０２ａ〜１０２ｄ上に感光層１０３ａ〜１０３ｄが被覆形成されてなり、支持基体１０２ａ〜１０２ｄは接地されている。
【０００４】
前記各感光体１０１ａ〜１０１ｄの周囲には、帯電ローラ等からなる帯電部材１０５ａ〜１０５ｄ、現像ローラ等からなる現像部材１０６ａ〜１０６ｄ、クリーニングローラ等からなるクリーニング部材１０４ａ〜１０４ｄが設けられ、また各帯電部材１０５ａ〜１０５ｄにバイアス電圧を供給する帯電バイアス用電源１０７ａ〜１０７ｄと、各現像部材１０６ａ〜１０６ｄにバイアス電圧を供給する現像バイアス用電源１０８ａ〜１０８ｄとが、各感光体１０１ａ〜１０１ｄ毎に設けられている。さらに、各クリーニング部材１０４ａ〜１０４ｄに共通のバイアス電圧を供給するクリーニングバイアス用の共通電源１０９が設けられている。
【０００５】
そして、画像形成に際しては、各感光体１０１ａ〜１０１ｄの帯電部材１０５ａ〜１０５ｄに帯電バイアス用電源１０７ａ〜１０７ｄからバイアス電圧を供給して、感光体１０１ａ〜１０１ｄを所定の表面電位に帯電させるとともに、画像データの存在部位あるいは非存在部位に応じて、レーザや発光ダイオード等の図示しない露光手段で感光体１０１ａ〜１０１ｄの表面を露光して、露光部分の電位を変化させる。一方、現像部材１０６ａ〜１０６ｄに現像バイアス用電源１０８ａ〜１０８ｄからバイアス電圧を供給して、現像剤（トナー）で現像し、その後、所定の転写位置で前記トナー像を中間転写ベルト１１１に転写する。
【０００６】
【発明が解決しようとする課題】
ところで、タンデム式フルカラー画像形成装置では、各色毎に、画像形成のための感光体１０１ａ〜１０１ｄにおける表面電位の関係を変える必要がある。例えば、露光後の表面電位Ｖｉと現像部材１０６ａ〜１０６ｄの電位との差ΔＶは、環境条件等に応じて各色毎に設定される。
【０００７】
しかるに、図１１に示した従来のタンデム式フルカラー画像形成装置では、画像形成時等における感光体表面電位の制御を、帯電バイアス用電源１０７ａ〜１０７ｄと現像バイアス用電源１０８ａ〜１０８ｄとによって行っていたため、制御の自由度が小さい、という欠点があった。
【０００８】
また、帯電部材１０５ａ〜１０５ｄやクリーニング部材１０４ａ〜１０４ｄを清掃する際に、現像部でのキャリア付着やトナー飛散を防止するために、感光体１０１ａ〜１０１ｄの表面への電位付与のタイミングを複雑に制御する必要があった。
【０００９】
この発明は、このような欠点を解消するためになされたものであって、画像形成時等における感光体表面電位の制御の自由度を大きくできるとともに、帯電手段やクリーニング手段を清掃する際にも、感光体の表面への電位付与の複雑なタイミング制御を不要にできるタンデム式フルカラー画像形成装置の提供を課題とする。
【００１０】
【発明が解決しようとする課題】
前記課題は、各支持基体上にそれぞれ感光層が形成された複数個の感光体と、前記各感光体毎に設けられ、感光体の感光層を帯電させる複数個の帯電手段と、前記各感光体毎に設けられた複数個の現像手段と、前記複数個の帯電手段にバイアス電圧を供給する帯電バイアス用電源と、前記複数個の現像手段にバイアス電圧を供給する現像バイアス用電源とを備えたタンデム式フルカラー画像形成装置において、前記各感光体の支持基体と接地部との間に、前記支持基体にバイアス電圧を供給する支持基体バイアス用電源がそれぞれ設けられるとともに、前記帯電バイアス用電源と前記現像バイアス用電源の少なくともいずれかが、各帯電手段または各現像手段に対して共通のバイアス電圧を供給する共通電源として構成されていることを特徴とするタンデム式フルカラー画像形成装置によって解決される。
【００１１】
このタンデム式フルカラー画像形成装置では、各感光体の支持基体と接地部との間に、前記支持基体にバイアス電圧を供給する支持基体バイアス用電源がそれぞれ設けられており、これらの支持基体バイアス用電源によって感光体の支持基体に電位を与えることができるから、露光後の感光層の表面電位等を制御でき、その分制御の自由度が増大する。
【００１２】
しかも、支持基体バイアス用電源によって感光体への電位付与が可能になるから、複雑なタイミングの制御を要することなく、感光体の表面電位を変えることができ、帯電手段やクリーニング手段の清掃が容易になる。
【００１３】
また、各感光体の支持基体と接地部との間に支持基体バイアス用電源をそれぞれ設けたことにより、各色で帯電電位や現像電位が同じであっても、各色毎にΔＶその他の表面電位に関する必要条件を実現できるから、帯電バイアス用電源と現像バイアス用電源の少なくともいずれかを、各帯電手段または各現像手段に対して共通のバイアス電圧を供給する共通電源として構成することができる。従って、帯電バイアス用電源と現像バイアス用電源が各感光体毎に設けられている場合に較べて、帯電バイアス用電源及び／または現像バイアス用電源の構成が簡単になる。特に、帯電バイアス用電源と現像バイアス用電源のいずれもが、各色に対して共通の電源となされている場合には、複数の感光体に対して帯電バイアス用電源が１個、現像バイアス用電源が１個で済むことになり、電源個数の減少化ひいては部品点数の減少化に資するものとなる。
【００１４】
前記タンデム式フルカラー画像形成装置においては、前記複数個の支持基体バイアス用電源によって各支持基体に供給されるバイアス電圧が可変となされていても良い。この場合には、感光体の表面電位設定のバリエーションがさらに広がることになる。
【００１５】
また、前記タンデム式フルカラー画像形成装置においては、前記各感光体毎にクリーニング手段を備えるとともに、各クリーニング手段に共通のバイアス電圧を供給するクリーニングバイアス用共通電源を備えている構成であっても良い。この場合には、クリーニングバイアス用電源が少なくて済む。
【００１６】
また、前記各感光体毎に設けられたクリーニング手段と、各クリーニング手段にバイアス電圧を供給するクリーニングバイアス用電源と、前記帯電バイアス用電源、前記現像バイアス用電源、前記支持基体バイアス用電源及び前記クリーニングバイアス用電源による各バイアス電圧を設定制御可能な制御手段とを備え、前記帯電手段またはクリーニング手段はローラ状であり、帯電ローラまたはクリーニングローラの付着部を除去するタイミングにおいて、前記制御手段は、帯電手段の電位が前記支持基体の電位よりも高くなるように、前記支持基体バイアス用電源及び前記帯電バイアス用電源のバイアス電圧を決定するか、またはクリーニング手段の電位が前記支持基体の電位よりも低くなるように、前記支持基体バイアス用電源及び前記クリーニングバイアス用電源のバイアス電圧を決定するのが良い。
【００１７】
この場合には、帯電ローラまたはクリーニングローラに付着したトナー等の付着物を確実に除去することができる。
【００１８】
また、前記課題は、各支持基体上にそれぞれ感光層が形成された複数個の感光体と、前記各感光体毎に設けられ、感光体の感光層を帯電させる複数個の帯電手段と、前記各感光体毎に設けられた複数個の現像手段と、前記複数個の帯電手段にバイアス電圧を供給する帯電バイアス用電源と、前記複数個の現像手段にバイアス電圧を供給する現像バイアス用電源とを備えたタンデム式フルカラー画像形成装置において、前記感光体の支持基体と接地部との間に、各支持基体に共通のバイアス電圧を供給する支持基体バイアス用共通電源が設けられていることを特徴とするタンデム式フルカラー画像形成装置によっても解決される。
【００１９】
このタンデム式フルカラー画像形成装置では、感光体の支持基体と接地部との間に、各支持基体に共通のバイアス電圧を供給する支持基体バイアス用共通電源が設けられており、この支持基体バイアス用電源によって感光体の支持基体に電位を与えることができるから、露光後の感光層の表面電位等を制御でき、制御の自由度が増大する。
【００２０】
【発明の実施の形態】
図１は、この発明の一実施形態に係るタンデム式フルカラー画像形成装置の感光体及びその周辺を模式的に示す図である。
【００２１】
図１において、１ａ〜１ｄは左からイエロー（Ｙ）、マゼンタ（Ｍ）、シアン（Ｃ）、ブラック（Ｋ）の各色に対応する感光体である。各感光体１ａ〜１ｄは、アルミニウム等からなる導電性のドラム状支持基体２ａ〜２ｄの上に感光層３ａ〜３ｄが被覆形成されてなる。
【００２２】
前記各感光体１ａ〜１ｄの周囲には、それぞれ、帯電手段としての帯電部材４ａ〜４ｄ、現像手段としての現像部材５ａ〜５ｄ、クリーニング手段としてのクリーニング部材６ａ〜６ｄが配設されている。帯電部材４ａ〜４ｄとしては帯電ローラやスコロトロン帯電器があり、現像部材５ａ〜５ｄとしては現像ローラがあり、クリーニング部材６ａ〜６ｄとしては、クリーニングローラやクリーニングブレードがある。
【００２３】
前記の各帯電部材４ａ〜４ｄは、１個の帯電バイアス用共通電源８に接続されており、各帯電部材４ａ〜４ｄはこの共通電源８からバイアス電圧の供給を受けて、感光層３ａ〜３ｄの表面を帯電させるものとなされている。
【００２４】
また、前記の各現像部材５ａ〜５ｄも１個の現像バイアス用共通電源９に接続されており、画像形成時には、各現像部材５ａ〜５ｄはこの共通電源９からバイアス電圧の供給を受けるようになっている。
【００２５】
さらに、前記の各クリーニング部材６ａ〜６ｄもまた１個のクリーニングバイアス用共通電源１０に接続されており、クリーニング時には、各クリーニング部材６ａ〜６ｄはこの共通電源１０からバイアス電圧の供給を受けるようになっている。
【００２６】
前記各感光体１ａ〜１ｄにおいて、支持基体２ａ〜２ｄと接地部１２との間には、それぞれ支持基体バイアス用電源７ａ〜７ｄが介挿されており、各支持基体２ａ〜２ｄは対応する支持基体バイアス用電源７ａ〜７ｄから、画像形成時あるいはクリーニング時等にバイアス電圧の供給を受けうるものとなされている。
【００２７】
前記の各支持基体バイアス用電源７ａ〜７ｄは、いずれもバイアス電圧を可変に設定できる電圧可変電源によって構成されている。
【００２８】
なお、この実施形態では、各帯電部材４ａ〜４ｄへの電圧供給及び各現像部材５ａ〜５ｄへの電圧供給を、いずれも共通の帯電バイアス用共通電源８、現像バイアス用共通電源９によって行うものとしたが、各帯電部材４ａ〜４ｄへの電圧供給電源のみを共通にし、各現像部材５ａ〜５ｄについては個別に電源を設けても良いし、その逆であっても良い。ただし、図１のように、帯電バイアス用電源８、現像バイアス用電源９のいずれをも共通電源とすることにより、電源の個数を減少することができる。つまり、図１１に示した従来例では、帯電バイアス用電源及び現像バイアス用電源の個数は合計で８個であった。これに対し、図１の実施形態では、支持基体バイアス用電源７ａ〜７ｄの増加分４個を、帯電バイアス用共通電源８、現像バイアス用共通電源９の個数に加えても、合計で６個であり、電源の個数を減少することができ、その分部品点数を減少できる。
【００２９】
図１に示す１１は制御部である。この制御部１１は、前述した帯電バイアス用電源８、現像バイアス用電源９、クリーニングバイアス用電源１０、支持基体バイアス用電源７ａ〜７ｄの各電源による供給電圧を、画像形成モードあるいはクリーニングモード等の各種モードに応じて制御するものである。しかも、制御部１１は、図示しないセンサ等から入力された温湿度情報等の環境情報や、画像濃度情報等の画像形成情報、耐久情報等に応じて、各電源による供給電圧を可変調整するものとなされている。
【００３０】
また、図１に示す１３は中間転写ベルトであり、各感光体１ａ〜１ｄのトナー像はこの中間転写ベルト１３上に転写された後、図示しない記録材に転写される。
【００３１】
図１に示した画像形成装置では、画像形成に際して、各感光体１ａ〜１ｄの帯電部材４ａ〜４ｄに帯電バイアス用電源８からバイアス電圧を供給して、感光体１ａ〜１ｄを所定の表面電位に帯電させる。この状態で、画像データの存在部位あるいは非存在部位に応じて、レーザや発光ダイオード等の図示しない露光手段で感光体１ａ〜１ｄの表面を露光し、露光部分の電位を変化させ静電潜像を形成させる。
【００３２】
一方、現像部材５ａ〜５ｄに現像バイアス用電源９からバイアス電圧を供給して、現像剤で現像し、その後、所定の転写位置で前記現像された画像を中間転写ベルト１３に転写する。転写されずに残された感光体１ａ〜１ｄ上の現像剤はクリーニング部材６ａ〜６ｄで回収される。
【００３３】
図２は、クリーニング部材６ａ〜６ｄに電圧を供給しない時の画像形成時の各部材への具体的なバイアス電圧と、その時の露光後の感光体表面電位ＶｉとΔＶを、３種類示したものである。
【００３４】
図２（１）においては、帯電バイアス用共通電源８から帯電部材４ａ〜４ｄに−６００Ｖを供給し、現像バイアス用共通電源９から現像部材５ａ〜５ｄに−４５０Ｖを供給し、支持基体バイアス用電源７ａ〜７ｄによって各支持基体２ａ〜２ｄに−１５０Ｖ、−１００Ｖ、−１００Ｖ、−５０Ｖを供給した。
【００３５】
露光後の感光体表画電位Ｖｉは−１７０Ｖ、−１２０Ｖ、−１２０Ｖ、−７０Ｖになり、ΔＶは２８０Ｖ、３３０Ｖ、３３０Ｖ、３８０Ｖになる。
【００３６】
このように、支持基体２ａ〜２ｄに電圧を供給することによって、各色のΔＶを可変にすることができる。なお、図２（２）（３）は、環境情報や耐久情報を基に設定した他のバイアス電圧例であり、図２（２）は帯電量をマイナス側の絶対値で低く設定した場合であり、図２（３）は帯電量をマイナス側の絶対値で高く設定した場合である。
【００３７】
図３は、クリーニング部材６ａ〜６ｄとしてクリーニングローラを用い、バイアス電圧を供給した時の画像形成時の各部材への具体的なバイアス電圧と、その時の露光後の感光体表面電位ＶｉとΔＶを、３種類示したものである。
【００３８】
図３（１）においては、帯電バイアス用共通電源８から帯電部材４ａ〜４ｄに−６００Ｖを供給し、現像バイアス用共通電源９から現像部材５ａ〜５ｄに−４５０Ｖを供給し、クリーニングバイアス用共通電源１０によりクリーニングローラ６ａ〜６ｄに４００Ｖを供給し、支持基体バイアス用電源７ａ〜７ｄによって各支持基体２ａ〜２ｄに−１５０Ｖ、−１００Ｖ、−１００Ｖ、−５０Ｖを供給した。
【００３９】
露光後の感光体表面電位Ｖｉは、−１７０Ｖ、−１２０Ｖ、−１２０Ｖ、−７０Ｖになり、ΔＶは、２８０Ｖ、３３０Ｖ、３３０Ｖ、３８０Ｖになる。
【００４０】
このように支持基体２ａ〜２ｄに電圧を供給することによって、各色のΔＶを可変にすることができる。なお、図３（２）（３）は、環境情報や耐久情報を基に設定した他のバイアス電圧例であり、図３（２）は帯電量をマイナス側の絶対値で低く設定した場合であり、図３（３）は帯電量をマイナス側の絶対値で高く設定した場合である。
【００４１】
図４は、帯電部材４ａ〜４ｄを帯電ローラにして、クリーニング部材６ａ〜６ｄに電圧を供給しない時の、帯電ローラの清掃時の各部材への具体的なバイアス電圧を３種類示したものである。
【００４２】
図４（１）においては、帯電バイアス用共通電源８から帯電部材４ａ〜４ｄにＧＮＤを供給し、現像バイアス用共通電源９から現像部材５ａ〜５ｄに−４５０Ｖを供給し、支持基体バイアス用電源７ａ〜７ｄによって各支持基体２ａ〜２ｄにいずれも−６００Ｖを供給した。このようにして帯電ローラ４ａ〜４ｄの付着物を感光体１ａ〜１ｄに回収し、感光体上から、現像部もしくは転写部もしくはクリーニング部へと回収することができる。なお、図４（２）（３）は、環境情報や耐久情報を基に設定した他のバイアス電圧例である。
【００４３】
図５は、帯電部材４ａ〜４ｄを帯電ローラにクリーニング部材６ａ〜６ｄをクリーニングローラにして電圧を供給したときの、帯電ローラとクリーニングローラの清掃時の各部材への具体的なバイアス電圧を３種類示したものである。
【００４４】
図５（１）においては、帯電バイアス用共通電源８から帯電ローラ４ａ〜４ｄにＧＮＤを供給し、現像バイアス用共通電源９から現像部材５ａ〜５ｄに−４５０Ｖを供給し、クリーニングバイアス用共通電源１０によりクリーニングローラ６ａ〜６ｄに−８００Ｖを供給し、支持基体バイアス用電源７ａ〜７ｄによって各支持基体２ａ〜２ｄにいずれも−６００Ｖを供給した。従って、各帯電ローラ４ａ〜４ｄの電位は各支持基体２ａ〜２ｄの電位よりも高く設定され、各クリーニングローラ６ａ〜６ｄの電位は各支持基体２ａ〜２ｄの電位よりも低く設定されている。
【００４５】
このようにして帯電ローラ４ａ〜４ｄの付着物とクリーニングローラ６ａ〜６ｄの付着物を感光体１ａ〜１ｄに回収し、感光体上から、現像部もしくは転写部もしくはクリーニング部もしくは帯電部へと回収して、画像形成時には清掃されているものとすることができる。また、帯電部材４ａ〜４ｄ、クリーニング部材６ａ〜６ｄ、支持基体２ａ〜２ｄにバイアス電圧を供給するタイミングを変えることによって、画像形成前に清掃することもできる（図示せず）。　なお、図５（２）（３）は、環境情報や耐久情報を基に設定した他のバイアス電圧例である。
【００４６】
図６はこの発明の他の実施形態を示すものである。この実施形態では、各支持基体２ａ〜２ｄにバイアス電圧を供給する支持基体バイアス用電源が電圧可変の１つの共通電源１５によって構成されるとともに、各支持基体２ａ〜２ｄは、この支持基体バイアス用共通電源１５を介して接地部１２に接地されている。
【００４７】
一方、帯電バイアス用電源及び現像バイアス用電源については、共通電源ではなく、各感光体１ａ〜１ｄの帯電部材４ａ〜４ｄ、現像部材５ａ〜５ｄに対してそれぞれ１個の帯電バイアス用電源１６ａ〜１６ｄ、現像バイアス用電源１７ａ〜１７ｄが設けられている。
【００４８】
その他の構成は、図１に示した実施形態と同一であるので同一の符号を付して説明を省略する。
【００４９】
図６に示した画像形成装置では、画像形成時、クリーニング時等において、制御部１１からの制御により、支持基体バイアス用電源１５から各支持基体２ａ〜２ｄに共通のバイアス電圧が供給されるとともに、それぞれの帯電バイアス用電源１６ａ〜１６ｄ及び現像バイアス用電源１７ａ〜１７ｄから各帯電部材４ａ〜４ｄ及び各現像部材５ａ〜５ｄへバイアス電圧が供給される。
【００５０】
図７は、図６の画像形成装置において、クリーニング部材６ａ〜６ｄに電圧を供給しない時の画像形成時の各部材への具体的なバイアス電圧と、その時の露光後の感光体表面電位ＶｉとΔＶを、３種類示したものである。
【００５１】
図７（１）においては、各帯電バイアス用電源１６ａ〜１６ｄから各帯電部材４ａ〜４ｄに−４８０Ｖ、−４９０Ｖ、−４９０Ｖ、−５００Ｖを供給し、各現像バイアス用共通電源１７ａ〜１７ｄから各現像部材５ａ〜５ｄに−３６０Ｖ、−３４０Ｖ、−３４０Ｖ、−４３０Ｖを供給し、支持基体２ａ〜２ｄをＧＮＤとした。
【００５２】
露光後の感光体表画電位Ｖｉは−３０Ｖ、−５０Ｖ、−４０Ｖ、−５０Ｖになり、ΔＶは３３０Ｖ、２９０Ｖ、３００Ｖ、３８０Ｖになる。なお、支持基体２ａ〜２ｄをＧＮＤにすることなく、支持基体バイアス用電源１５から支持基体２ａ〜２ｄに電圧を供給しても良い。なお、図７（２）（３）は、環境情報や耐久情報を基に設定した他のバイアス電圧例であり、図７（２）は帯電量をマイナス側の絶対値で低く設定した場合であり、図７（３）は帯電量をマイナス側の絶対値で高く設定した場合である。
【００５３】
図８は、クリーニング部材６ａ〜６ｄとしてクリーニングローラを用い、バイアス電圧を供給した時の画像形成時の各部材への具体的なバイアス電圧と、その時の露光後の感光体表面電位ＶｉとΔＶを、３種類示したものである。
【００５４】
図８（１）においては、各帯電バイアス用電源１６ａ〜１６ｄから各帯電部材４ａ〜４ｄに−４８０Ｖ、−４９０Ｖ、−４９０Ｖ、−５００Ｖを供給し、各現像バイアス用共通電源１７ａ〜１７ｄから各現像部材５ａ〜５ｄに−３６０Ｖ、−３４０Ｖ、−３４０Ｖ、−４３０Ｖを供給し、クリーニングバイアス用共通電源１０によりクリーニングローラ６ａ〜６ｄに４００Ｖを供給し、支持基体２ａ〜２ｄをＧＮＤとした。
【００５５】
露光後の感光体表画電位Ｖｉは−３０Ｖ、−５０Ｖ、−４０Ｖ、−５０Ｖになり、ΔＶは３３０Ｖ、２９０Ｖ、３００Ｖ、３８０Ｖになる。なお、支持基体２ａ〜２ｄをＧＮＤにすることなく、支持基体バイアス用電源１５から支持基体２ａ〜２ｄに電圧を供給しても良い。なお、図８（２）（３）は、環境情報や耐久情報を基に設定した他のバイアス電圧例であり、図８（２）は帯電量をマイナス側の絶対値で低く設定した場合であり、図８（３）は帯電量をマイナス側の絶対値で高く設定した場合である。
【００５６】
図９は、帯電部材４ａ〜４ｄを帯電ローラにして、クリーニング部材６ａ〜６ｄに電圧を供給しない時の、帯電ローラの清掃時の各部材への具体的なバイアス電圧を３種類示したものである。
【００５７】
図９（１）においては、各帯電バイアス用電源１６ａ〜１６ｄから各帯電部材４ａ〜４ｄにＧＮＤを供給し、各現像バイアス用電源１７ａ〜１７ｄから各現像部材５ａ〜５ｄに−３８０Ｖ、−４５０Ｖ、−４５０Ｖ、−４３０Ｖを供給し、支持基体バイアス用共通電源１５によって各支持基体２ａ〜２ｄに−６００Ｖを供給した。
【００５８】
このようにして帯電ローラ４ａ〜４ｄの付着物を感光体１ａ〜１ｄに回収し、感光体上から、現像部もしくは転写部もしくはクリーニング部へと回収することができる。現像バイアス用電源１７ａ〜１７ｄが共通ではないので、各色でカブリマージンを設定してクリーニングしているが、各色でカブリマージンを共通にしても良い。図９（２）（３）は、環境情報や耐久情報を基に設定した他のバイアス電圧例である。
【００５９】
図１０は、帯電部材４ａ〜４ｄを帯電ローラにクリーニング部材６ａ〜６ｄをクリーニングローラにして電圧を供給したときの、帯電ローラとクリーニングローラの清掃時の各部材への具体的なバイアス電圧を３種類示したものである。
【００６０】
図１０（１）においては、各帯電バイアス用電源１６ａ〜１６ｄから各帯電ローラ４ａ〜４ｄにＧＮＤを供給し、各現像バイアス用電源１７ａ〜１７ｄから各現像部材５ａ〜５ｄに−３８０Ｖ、−４５０Ｖ、−４５０Ｖ、−４３０Ｖを供給し、クリーニングバイアス用共通電源１０によりクリーニングローラ６ａ〜６ｄに−８００Ｖを供給し、支持基体バイアス用共通電源１５によって各支持基体２ａ〜２ｄに−６００Ｖを供給した。従って、各帯電ローラ４ａ〜４ｄの電位は各支持基体２ａ〜２ｄの電位よりも高く設定され、各クリーニングローラ６ａ〜６ｄの電位は各支持基体２ａ〜２ｄの電位よりも低く設定されている。
【００６１】
このようにして帯電ローラ４ａ〜４ｄの付着物とクリーニングローラ６ａ〜６ｄの付着物を感光体１ａ〜１ｄに回収し、感光体上から、現像部もしくは転写部もしくはクリーニング部へと回収して、画像形成時には清掃されているものとすることができる。また、帯電部材４ａ〜４ｄ、クリーニング部材６ａ〜６ｄ、支持基体２ａ〜２ｄにバイアス電圧を供給するタイミングを変えることによって、画像形成前に清掃することもできる（図示せず）。なお、現像バイアス用電源１７ａ〜１７ｄが共通ではないので、各色でカブリマージンを設定してクリーニングしているが、各色でカブリマージンを共通にしても良い。図１０（２）（３）は、環境情報や耐久情報を基に設定した他のバイアス電圧例である。
【００６２】
以上、この発明の一実施形態を示したが、この発明はこれら実施形態に限定されるものではない。例えば、実施形態ではクリーナ部材によるクリーナ機能を有する画像形成装置で説明したが、クリ一ナ部材がないシステム（クリーナレス）でもよい。また、複写機について説明したが、プリンタ、ファクシミリ、あるいは複写機、プリンタ、ファクシミリの複合機などのタンデム式フルカラー画像形成装置であれば良い。またこれらが、ネットワ―ク接続の機能を有していても良い。
【００６３】
さらに、実施形態での供給電圧値はこれらの例に限定されない。各種の画像形成装置に応じて、任意に設定すれば良い。また、装置の使用状態である印字枚数や動作時間等に応じて、バイアス電圧値をリアルタイムで変更しても良い。
【００６４】
【発明の効果】
請求項１に係る発明によれば、各支持基体バイアス用電源によって各感光体の支持基体に電位を与えることができるから、露光後の感光層の表面電位等を制御でき、その分制御の自由度が増大する。しかも、支持基体バイアス用電源によって感光体への電位付与が可能になるから、複雑なタイミングの制御を要することなく、感光体の表面電位を変えることができ、帯電手段やクリーニング手段の清掃が容易になる。また、帯電バイアス用電源と現像バイアス用電源の少なくともいずれかを、各帯電手段または各現像手段に対して共通のバイアス電圧を供給する共通電源として構成することができるとともに、特に、帯電バイアス用電源と現像バイアス用電源のいずれもが、各色に対して共通の電源となすことにより、複数の感光体に対して帯電バイアス用電源が１個、現像バイアス用電源が１個で済むことになり、電源個数の減少化ひいては部品点数の減少化に資することができる。
【００６５】
請求項２に係る発明によれば、感光体の表面電位設定のバリエーションをさらに広げることができる。
【００６６】
請求項３に係る発明によれば、クリーニングバイアス用電源が少なくて済む。
【００６７】
請求項４に係る発明によれば、帯電ローラまたはクリーニングローラに付着したトナー等の付着物を確実に除去することができる。
【００６８】
請求項５に係る発明によれば、露光後の感光層の表面電位等を制御でき、制御の自由度が増大する。
【図面の簡単な説明】
【図１】この発明の一実施形態に係る画像形成装置の要部の模式的断面図である。
【図２】図１に示した画像形成装置における各部のバイアス電圧設定例を示す表である。
【図３】同じく他のバイアス電圧設定例を示す表である。
【図４】同じく他のバイアス電圧設定例を示す表である。
【図５】同じく他のバイアス電圧設定例を示す表である。
【図６】この発明の他の実施形態に係る画像形成装置の要部の模式的断面図である。
【図７】図６に示した画像形成装置における各部のバイアス電圧設定例を示す表である。
【図８】同じく他のバイアス電圧設定例を示す表である。
【図９】同じく他のバイアス電圧設定例を示す表である。
【図１０】同じく他のバイアス電圧設定例を示す表である。
【図１１】従来の画像形成装置の要部の模式的断面図である。
【符号の説明】
１ａ〜１ｄ　　　感光体
２ａ〜２ｄ　　　　支持基体
３ａ〜３ｄ　　　　感光層
４ａ〜４ｄ　　　　帯電部材（帯電手段）
５ａ〜５ｄ　　　　現像部材（現像手段）
６ａ〜６ｄ　　　　クリーニング部材（クリーニング手段）
７ａ〜７ｄ　　　　支持基体バイアス用電源
８　　　　　　　　　　　　帯電バイアス用共通電源
９　　　　　　　　　　　　現像バイアス用共通電源
１０　　　　　　　　　　クリーニングバイアス用共通電源
１１　　　　　　　　　　制御部（制御手段）
１５　　　　　　　　　　支持基体バイアス用共通電源
１６ａ〜１６ｄ　帯電バイアス用電源
１７ａ〜１７ｄ　現像バイアス用電源
【図１】
2004062016.tif 000003
【図２】
2004062016.tif 000004
【図３】
2004062016.tif 000005
【図４】
2004062016.tif 000006
【図５】
2004062016.tif 000007
【図６】
2004062016.tif 000008
【図７】
2004062016.tif 000009
【図８】
2004062016.tif 000010
【図９】
2004062016.tif 000011
【図１０】
2004062016.tif 000012
【図１１】
2004062016.tif 000013